(57)【要約】【課題】  特にメンテナンスが容易である組立式発光ダイオード用ベースを提供する。【解決手段】  上側がリング状を呈すると共に、下側が略立方体を呈する回転式ベース（２０）を有し、該回転式ベース（２０）の上側に嵌合部（１０）が設けられ、該嵌合部（１０）の外周縁に嵌合溝（１１０）が形成されると共に、内側に位置決め壁（１２）が設けられ、更に該位置決め壁（１２）にＬＥＤ（３０）を設置するためのソケット（１３）が設けられると共に、両側に電極接点（１４）が設けられ、該ソケット（１３）と電極接点（１４）との間に複数の電気接続部材が設けられることにより、ソケット（１３）と電極接点（１４）とを電気接続させることを特徴とする。【選択図】  図１
0003132326.tif 000002
【実用新案登録請求の範囲】
【請求項１】
上側がリング状を呈すると共に、下側が略立方体を呈する回転式ベースを有し、該回転式ベースの上側に嵌合部が設けられ、該嵌合部の外周縁に嵌合溝が形成されると共に、内側に位置決め壁が設けられ、更に該位置決め壁にＬＥＤを設置するためのソケットが設けられると共に、両側に電極接点が設けられ、該ソケットと電極接点との間に複数の電気接続部材が設けられることにより、ソケットと電極接点とを電気接続させることを特徴とする組立式発光ダイオード用ベース。
【請求項２】
前記嵌合部の周縁にそれぞれ、互いに反対方向へ突出する２つの嵌合ブロックが設けられ、該各嵌合ブロックの外側に前記嵌合溝が形成されることを特徴とする請求項１に記載の組立式発光ダイオード用ベース。
【請求項３】
前記ソケットに湾曲状の金属ばねが複数設けられ、該金属ばねにより、ＬＥＤを挟持することを特徴とする請求項２に記載の組立式発光ダイオード用ベース。
【請求項４】
前記ソケットの内側に複数の端子ソケットが形成され、該各端子ソケットに次第に縮径する金属内壁が設けられることを特徴とする請求項２に記載の組立式発光ダイオード用ベース。
【請求項５】
前記嵌合部の位置決め壁に複数の嵌合溝が形成されることを特徴とする請求項２に記載の組立式発光ダイオード用ベース。
【請求項６】
前記電気接続部材がワイヤであることを特徴とする請求項１乃至５の何れかに記載の組立式発光ダイオード用ベース。
【請求項７】
前記電気接続部材が銅プレートであることを特徴とする請求項１乃至５の何れかに記載の組立式発光ダイオード用ベース。
【請求項８】
前記電極接続部が金属材であることを特徴とする請求項１乃至５の何れかに記載の組立式発光ダイオード用ベース。
【請求項９】
前記電極接続部が銅であることを特徴とする請求項８に記載の組立式発光ダイオード用ベース。
【請求項１０】
前記電極接続部が鉄であることを特徴とする請求項８に記載の組立式発光ダイオード用ベース。
【考案の詳細な説明】
【技術分野】
【０００１】
本考案は、特にメンテナンスが容易である組立式発光ダイオード用ベースに関するものである。
【背景技術】
【０００２】
科学技術の発展に伴い、近年では照明装置の種類がかなり増え、例えば蛍光灯や電球以外に現在では、高輝度、低温及び省エネルギー効果を有する発光ダイオード（以下、ＬＥＤと称す）が開発されている。
【０００３】
又、現在、従来の蛍光灯の形状を呈するＬＥＤ形蛍光灯が製造されており、図９に示すように、その従来のＬＥＤ形蛍光灯（５０）は、ＬＥＤ管（５１）、該ＬＥＤ管（５１）の内部に設けられる回路板（５２）と、該ＬＥＤ管（５１）の両端に設けられる口金（５３）と、複数のＬＥＤ（５４）とからなり、該口金（５３）の外側に電源と接続するための口金ピン（５３０）が設けられると共に、該回路板（５２）の両端は口金（５３）と結合され、該複数のＬＥＤ（５４）は、二つの接続端子（５４０）を有すると共に、溶接方式により回路板（５２）の表面に結合される。
【０００４】
前記ＬＥＤ形蛍光灯（５０）は、従来の蛍光灯より重量が軽く、５００００時間以上の使用寿命を有し、更に、目にも優しいので、安全性や実用性に優れている。
【考案の開示】
【考案が解決しようとする課題】
【０００５】
しかしながら、前記従来のＬＥＤ形蛍光灯（５０）における各ＬＥＤ（５４）は、溶接によって接続端子（５４０）が回路板（５２）に結合される構成であることから、その内の１つのＬＥＤ（５４）が破損すると、その破損したＬＥＤ（５４）だけでなく、必ず全てのＬＥＤ（５４）を交換しなければならないので、メンテナンスが非常に不便であった。
【０００６】
そこで、案出されたのが本考案であって、メンテナンスが容易である組立式発光ダイオード用ベースを提供することを目的としている。
【課題を解決するための手段】
【０００７】
本願の請求項１の考案は、上側がリング状を呈すると共に、下側が略立方体を呈する回転式ベースを有し、該回転式ベースの上側に嵌合部が設けられ、該嵌合部の外周縁に嵌合溝が形成されると共に、内側に位置決め壁が設けられ、更に該位置決め壁にＬＥＤを設置するためのソケットが設けられると共に、両側に電極接点が設けられ、該ソケットと電極接点との間に複数の電気接続部材が設けられることにより、ソケットと電極接点とを電気接続させることを特徴とする組立式発光ダイオード用ベース、を提供する。
【０００８】
本願の請求項２の考案は、前記嵌合部の周縁にそれぞれ、互いに反対方向へ突出する２つの嵌合ブロックが設けられ、該各嵌合ブロックの外側に前記嵌合溝が形成されることを特徴とする請求項１に記載の組立式発光ダイオード用ベース、を提供する。
【０００９】
本願の請求項３の考案は、前記ソケットに湾曲状の金属ばねが複数設けられ、該金属ばねにより、ＬＥＤを挟持することを特徴とする請求項２に記載の組立式発光ダイオード用ベース、を提供する。
【００１０】
本願の請求項４の考案は、前記ソケットの内側に複数の端子ソケットが形成され、該各端子ソケットに次第に縮径する金属内壁が設けられることを特徴とする請求項２に記載の組立式発光ダイオード用ベース、を提供する。
【００１１】
本願の請求項５の考案は、前記嵌合部の位置決め壁に複数の嵌合溝が形成されることを特徴とする請求項２に記載の組立式発光ダイオード用ベース、を提供する。
【００１２】
本願の請求項６の考案は、前記電気接続部材がワイヤであることを特徴とする請求項１乃至５の何れかに記載の組立式発光ダイオード用ベース、を提供する。
【００１３】
本願の請求項７の考案は、前記電気接続部材が銅プレートであることを特徴とする請求項１乃至５の何れかに記載の組立式発光ダイオード用ベース、を提供する。
【００１４】
本願の請求項８の考案は、前記電極接続部が金属材であることを特徴とする請求項１乃至５の何れかに記載の組立式発光ダイオード用ベース、を提供する。
【００１５】
本願の請求項９の考案は、前記電極接続部が銅であることを特徴とする請求項８に記載の組立式発光ダイオード用ベース、を提供する。
【００１６】
本願の請求項１０の考案は、前記電極接続部が鉄であることを特徴とする請求項８に記載の組立式発光ダイオード用ベース、を提供する。
【考案の効果】
【００１７】
本考案は上記の課題を解決するものであり、回路板に着脱自在な回転式ベースが設けられ、該回転式ベースにＬＥＤを着脱可能なソケットが形成され、回転式ベースの一側に回転により回路板に嵌合するための嵌合部が設けられることにより、破損したＬＥＤだけを交換することができるので、ベースの組立て及びメンテナンスが非常に簡単である。
【考案を実施するための最良の形態】
【００１８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１９】
図１は本考案に係る組立式発光ダイオード用ベースの第１実施例を示す分解斜視図であり、図２は本考案に係る組立式発光ダイオード用ベースの第１実施例を示す斜視図であり、図３は本考案に係る組立式発光ダイオード用ベースの第１実施例の使用状態を示す部分分解斜視図であり、図４は本考案に係る組立式発光ダイオード用ベースの第１実施例の使用状態を示すを示す斜視図であり、図５は本考案に係る組立式発光ダイオード用ベースの第１実施例の他の使用状態を示す斜視図であり、図６は本考案に係る組立式発光ダイオード用ベースの第２実施例を示す分解斜視図であり、図７は本考案に係る組立式発光ダイオード用ベースの第３実施例を示す分解斜視図であり、図８は本考案に係る組立式発光ダイオード用ベースの第４実施例を示す分解斜視図である。
【００２０】
図１、図３及び図６に示すように、本考案に係る組立式発光ダイオード用ベースは、上側がリング状を呈すると共に、下側が略立方体を呈する回転式ベース（２０）を有し、該回転式ベース（２０）の上側に嵌合部（１０）が設けられ、該嵌合部（１０）の周縁にそれぞれ、互いに反対方向へ突出する２つの嵌合ブロック（１１）が設けられ、該各嵌合ブロック（１１）の外側に嵌合溝（１１０）が形成されると共に、内側に位置決め壁（１２）が設けられ、更に該位置決め壁（１２）にＬＥＤ（３０）を設置するためのソケット（１３）（１３’）が設けられると共に、両側の表面に、例えば銅や鉄などの金属からなる電極接点（１４）が設けられ、該ソケット（１３）（１３’）と電極接点（１４）との間に複数の電気接続部材（例えばワイヤ、銅プレート、符号なし）が設けられ、それにより、該ソケット（１３）（１３’）と電極接点（１４）とを電気接続させる。
【００２１】
前記回転式ベース（２０）は、上側がリング状を呈すると共に、下側が略立法体を呈し、該略立法体部分を回転させることにより、本考案に係る組立式発光ダイオード用ベースの着脱がし易くなる。
【００２２】
又、図１及び図２に示すように、前記ソケット（１３）には、複数の湾曲状の金属ばね（１３０）が設けられ、該金属ばね（１３０）によりＬＥＤ（３０）を挟持する。
【００２３】
前記ＬＥＤ（３０）は、底部に２つの異なる形状の電気接続プレート（３１）が設けられ、該電気接続プレート（３１）と金属ばね（１３０）との接触により、ＬＥＤ（３０）と本考案の組立式発光ダイオード用ベースとを電気接続する。
【００２４】
又、図３及び図５に示すように、本考案に係る組立式発光ダイオード用ベースは、他の異なる照明装置の回路板、例えばＬＥＤ形蛍光灯の回路板（４０）又は自動車内の照明装置の回路板（４０’）に設置することができる。これらの回路板（４０）（４０’）には、複数の貫通孔（４１）が形成され、該各貫通孔（４１）の周縁にそれぞれ、互いに反対方向へ向かう２つの位置決め凹部（４２）が形成され、該各位置決め凹部（４２）の内側にそれぞれ嵌合縁（４２０）が設けられ、更に各貫通孔（４１）の周縁に回路板（４０）に設けられる回路と電気接続する金属層（符号なし）が設けられる。
【００２５】
図３及び図４に示すように、本考案の組立式発光ダイオード用ベースを、例えばＬＥＤ形蛍光灯に使用する時は、嵌合ブロック（１１）を回路板（４０）における貫通孔（４１）の位置決め凹部（４２）に嵌め込み、その後、該位置決め凹部（４２）の嵌合縁（４２０）が嵌合ブロック（１１）の嵌合溝（１１０）に嵌るまで、回転式ベース（２０）を回転させれば、本考案の組立式発光ダイオード用ベースを回路板（４０）に取り付けることができる。
【００２６】
そして、本考案の組立式発光ダイオード用ベースを回路板（４０）に設置する時、前記嵌合部（１０）の表面における電極接点（１４）が回路板（４０）の表面における回路と接続されると共に、ベースのソケット（１３）にＬＥＤ（３０）が挿し込まれることにより、ＬＥＤ（３０）が回路板（４０）と電気接続される。
【００２７】
また、前記ＬＥＤ（３０）が破損した場合は、直接にその破損したＬＥＤ（３０）をソケット（１３）から取り外し、新しいＬＥＤ（３０）と交換する。又は、その破損したＬＥＤ（３０）を有するベースを前記取り付け方式と逆の操作を行うことにより回路板（４０）から取り外し、新しいＬＥＤ（３０）と交換した後、前記取り付け方法により再び該ベースを回路板（４０）に取り付ける。
【００２８】
この方法によれば、破損したＬＥＤだけを交換することができるので、ベースの着脱及びメンテナンスが非常に容易になる。
【００２９】
図６に示すように、本考案の組立式発光ダイオード用ベースの第２実施例は、前記実施例と殆ど等しく、前記ソケット（１３’）の内側に複数の端子ソケット（１３１）が形成され、該各端子ソケット（１３１）に次第に縮径する金属内壁が設けられる点において異なるのみであり、これにより、ＬＥＤ（３０）の接続端子（３２）を簡単に該各端子ソケット（１３１）に位置決めすることができる。
【００３０】
図７に示すように、本考案に係る組立式発光ダイオード用ベースの第３実施例は、前記第１実施例と殆ど等しく、該ＬＥＤ（３０）に互いに平行する２つの電気接続プレート（３１’）が設けられ、該嵌合部（１０）の位置決め壁（１２）に該電気接続プレート（３１’）を位置決めするための切欠き部（１５）が形成される点において異なるのみである。
【００３１】
図８に示すように、本考案に係る組立式発光ダイオード用ベースの第４実施例は、前記第１実施例と殆ど等しく、本実施例におけるＬＥＤ（３０）の底部に設けられる電気接続プレート（３１）は、前記第１実施例とは異なる形状ではあるが、該電気接続プレート（３１）と金属ばね（１３０）との接触により、該ＬＥＤ（３０）と本考案の組立式発光ダイオード用ベースとを電気接続することには何の支障もない。
【産業上の利用可能性】
【００３２】
本考案は上記の構成を有し、回路板に着脱自在な回転式ベースが設けられ、該回転式ベースにＬＥＤを着脱可能なソケットが形成され、回転式ベースの一側に回転により回路板に嵌合するための嵌合部が設けられることにより、破損したＬＥＤだけを交換することができるので、ベースの組立て及びメンテナンスが非常に簡単である。
【図面の簡単な説明】
【００３３】
【図１】本考案に係る組立式発光ダイオード用ベースの第１実施例を示す分解斜視図である。
【図２】本考案に係る組立式発光ダイオード用ベースの第１実施例を示す斜視図である。
【図３】本考案に係る組立式発光ダイオード用ベースの第１実施例の使用状態を示す部分分解斜視図である。
【図４】本考案に係る組立式発光ダイオード用ベースの第１実施例の使用状態を示すを示す斜視図である。
【図５】本考案に係る組立式発光ダイオード用ベースの第１実施例の他の使用状態を示す斜視図である。
【図６】本考案に係る組立式発光ダイオード用ベースの第２実施例を示す分解斜視図である。
【図７】本考案に係る組立式発光ダイオード用ベースの第３実施例を示す分解斜視図である。
【図８】本考案に係る組立式発光ダイオード用ベースの第４実施例を示す分解斜視図である。
【図９】従来のＬＥＤ灯管を示す側面図である。
【符号の説明】
【００３４】
１０        嵌合部
１１        嵌合ブロック
１１０      嵌合溝
１２        位置決め壁
１３        ソケット
１３’      ソケット
１３０      金属ばね
１３１      端子ソケット
１４        電極接点
１５        切欠き部
２０        回転式ベース
３０        ＬＥＤ
３１        電気接続プレート
３１’      電気接続プレート
３２        接続端子
４０        回路板
４０’      回路板
４１        貫通孔
４２        位置決め凹部
４２０      嵌合縁
５０        ＬＥＤ形蛍光灯
５１        ＬＥＤ管
５２        回路板
５３        口金
５３０      口金ピン
５４        ＬＥＤ
５４０      接続端子
【図１】
0003132326.tif 000003
【図２】
0003132326.tif 000004
【図３】
0003132326.tif 000005
【図４】
0003132326.tif 000006
【図５】
0003132326.tif 000007
【図６】
0003132326.tif 000008
【図７】
0003132326.tif 000009
【図８】
0003132326.tif 000010
【図９】
0003132326.tif 000011